(57)【要約】【課題】複数の単純な空間可変機構の組み合わせによって、性格の異なる複数のステージを鑑賞することができ、また、多様な観客スペースを作りだして多彩な顔をもつイベント空間を得ることができる。【解決手段】ショープールもしくはプールサイドステージに近接して前面側に階段状の屋内固定観覧席を設けたアシカ等のショー施設において、増席用の観覧席を設けた床をプールの蓋として昇降自在に設け、プールサイドステージの背面側にコンサートステージを設けた。【選択図】  図１
2014114584.tif 000002
【特許請求の範囲】
【請求項１】
ショープールもしくはプールサイドステージに近接して前面側に階段状の屋内固定観覧席を設けたアシカ等のショー施設において、増席用の観覧席を設けた床をプールの蓋として昇降自在に設け、プールサイドステージの背面側にコンサートステージを設けたことを特徴とするアシカ等のショー施設とコンサートステージを兼ね備える多目的施設。
【請求項２】
屋外席としての屋外広場を連設する請求項１記載のアシカ等のショー施設とコンサートステージを兼ね備える多目的施設。
【請求項３】
広場は壁で囲む請求項１または請求項２記載のアシカ等のショー施設とコンサートステージを兼ね備える多目的施設。
【請求項４】
屋外広場は施設を挟むように配置し、コンサートステージ背面に引分け扉を設け、また、屋内観覧席と屋外広場とを開放サッシュで仕切る請求項１ないし請求項３のいずれかに記載のアシカ等のショー施設とコンサートステージを兼ね備える多目的施設。
【請求項５】
コンサートステージとプールサイドステージを分ける位置に可動間仕切りを配置する請求項１ないし請求項４のいずれかに記載のアシカ等のショー施設とコンサートステージを兼ね備える多目的施設。
【請求項６】
プール内側に排気ルートを取り付ける請求項１ないし請求項５のいずれかに記載のアシカ等のショー施設とコンサートステージを兼ね備える多目的施設。
【請求項７】
増席用の観覧席を設けた床裏面には、軽量物を吊り下げる請求項１ないし請求項５のいずれかに記載のアシカ等のショー施設とコンサートステージを兼ね備える多目的施設。
【発明の詳細な説明】
【技術分野】
【０００１】
本発明は、アシカ等のショー施設とコンサートステージを兼ね備える多目的施設に関するものである。
【背景技術】
【０００２】
例えば、体育館や劇場等のアリーナやホールにおいて、大空間を要するバスケットボールやバレーボール等と、小空間で良い卓球等を行う際や、異なる規模の演劇、音楽を同一施設で行う際に、イベント内容に対応した座席レイアウトを用意できることが必要となる。
【０００３】
目的に応じた座席数や座席レイアウトを得ようとする場合、床面を移動する可動席を設けることが多く、例えば、一段高い固定式観客席の前方壁に収納室を設け、そこに水平移動する可動席を収納し且つ、そこから可動席を展張していた。
【０００４】
なお、アシカ等のショーはプールサイドのステージにより行うが、このようなプールもしくはプールサイドによるステージとコンサートのような舞台によるステージの組み合わせについての多目的施設に関する提案は行われていないので先行技術文献も存在しない。
【発明の概要】
【発明が解決しようとする課題】
【０００５】
前記のように固定式観客席の前方に可動席用の可動床が展開する場合、可動床が展開する床面は可動床が支障なく移動もしくは通過するために平坦でなければならず、凹凸や欠込みがあった場合は、可動床が設置できない。
【０００６】
本発明の目的は前記従来例の不都合を解消し、ショープールがある場合など床の形状に凹凸や欠込みがあっても増設席の可動床が設置できるものであり、性格の異なる２つのステージ、多様な観客スペース、複数の空間可変機構の組み合わせによって変化する、多彩な顔をもつイベント空間を得ることができるアシカ等のショー施設とコンサートステージを兼ね備える多目的施設を提供することにある。
【課題を解決するための手段】
【０００７】
前記目的を達成するため請求項１記載の本発明は、ショープールもしくはプールサイドステージに近接して前面側に階段状の屋内固定観覧席を設けたアシカ等のショー施設において、増席用の観覧席を設けた床をプールの蓋として昇降自在に設け、プールサイドステージの背面側にコンサートステージを設けたことを要旨とするものである。
【０００８】
請求項１記載の本発明によれば、アシカ等のショーの鑑賞が行える他に、コンサートステージによる音楽、演劇等の鑑賞も可能となるもので、アシカ等のショーの専用のホールとしての使用の他、観覧席を大幅に増席した大規模ホールとしての利用も可能なる。その際、プールは増席用の観覧席を設けた床により蓋をされ、その上が観覧エリアとなる。
【０００９】
請求項２記載の本発明は、屋外席としての広場を連設することを要旨とするものである。
【００１０】
請求項２記載の本発明によれば、広場と連続した使用法が可能となり、広がりのあるイベント空間が得られる。
【００１１】
請求項３記載の本発明は、広場は壁で囲むことを要旨とするものである。
【００１２】
請求項３記載の本発明によれば、広場と連続した使用法で屋内外を連続させるのに加えて、壁が包むことにより広場としての空間が創出できる。
【００１３】
請求項４記載の本発明は、広場は施設を挟むように２つ配置し、コンサートステージ背面に引分け扉を設け、屋内観覧席と広場とを開放サッシュで仕切ることを要旨とするものである。
【００１４】
請求項４記載の本発明によれば、広場は施設を挟むように２つ配置し、コンサートステージ背面に引分け扉を設け、屋内観覧席と広場とを開放サッシュで仕切ることで、これら引分け扉や開放サッシュを開放すれば、一つの広場＋屋内部分を組み合わせるので開放感あふれるものとなる。
【００１５】
コンサートステージ背面の引分け扉は、アシカショーを開催しながら同時にステージ設営を可能にするものであり、舞台のドラマチックな演出装置である。解放すると、ステージ背景に、外部の景観が象徴的に現れ、様々なイベントや演出の可能性を広げる。
【００１６】
請求項５記載の本発明は、コンサートステージとプールサイドステージを分ける位置に大型可動間仕切りを配置することを要旨とするものである。
【００１７】
請求項５記載の本発明によれば、可動間仕切りは、継ぎ目の目立たない白色ボードで、映写スクリーンとしても利用可能なものとすることができる。遮音性能もあり、アシカショー施設として利用されている際、このアシカステージは屋内施設のため、前記引分け扉を開いて、背中合わせの屋外ステージとしての利用が可能である。
【００１８】
請求項６記載の本発明は、プール内側に排気ルートを取り付けることを要旨とするものである。
【００１９】
請求項６記載の本発明によれば、プールからの臭気を増席用の観覧席に及ぼさないように配慮できる。
【００２０】
請求項７記載の本発明は、増席用の観覧席を設けた床裏面には、軽量物を吊り下げることを要旨とするものである。
【００２１】
請求項７記載の本発明によれば、床裏面には照明装置や音響装置、装飾物を吊り下げることができ、プール及びプールサイド上部の演出装置としても利用可能である。
【発明の効果】
【００２２】
以上述べたように本発明のアシカ等のショー施設とコンサートステージを兼ね備える多目的施設は、ショープールがある場合など床の形状に凹凸や欠込みがあっても増設席の可動床が設置できるものであり、性格の異なる２つのステージを鑑賞することができ、多様な観客スペースを作りだし、複数の単純な空間可変機構の組み合わせによって変化する、多彩な顔をもつイベント空間を得ることができるものである。
【発明を実施するための形態】
【００２３】
以下、図面について本発明の実施嫉視の形態を詳細に説明する。図１は本発明のアシカ等のショー施設とコンサートステージを兼ね備える多目的施設の１実施形態を示す縦断側面図、図２〜図４は同上平面図、図５は同上縦断正面図である。
【００２４】
図中１はアシカ等のショーを行うショープール、２はショープール１の脇に形成したプールサイドステージで、プールサイドステージ２の反対側でショープール１に近接して前面側に階段状の屋内固定観覧席３が設けられる。
【００２５】
このようなアシカ等のショー施設で、プールサイドステージ２の背面側にコンサートステージ４を設ける。
【００２６】
また、一枚の床５をプール蓋としてこれを柱６をガイドとして機械的に昇降自在に支持し、この床５の上には増席用の観覧席７を設けた。ちなみに、屋内固定観覧席３を５００席程度とすると、増席用の観覧席も５００席程度で、併せて１，０００席程度になるものである。
【００２７】
このようにして、プール蓋としての床５はプール床に設置した時のみ観客席として利用する安全な機構である。重量部物の楊重に利用される電動ウインチの既成技術を活用し、上部に収納している（空飛ぶ）ときは柱６で機械的に床を支持し、ウインチケーブルとあわせて地震などの災害にも万全なものとする。
【００２８】
ショープール１の内側に排気ルートを取り付ける。
【００２９】
前記増席用の観覧席７を設けた床５の裏面には、照明や音響装置、装飾物等の軽量物を吊り下げることができる。
【００３０】
屋外席としての広場８，９を連設する。この広場８，９はともに壁１０で囲むもので、壁１０は施設の建物の壁１１と連続させた。
【００３１】
広場８は、約２，０００人程度の屋外席が確保できるもので、屋内がこの広場８と一体になるように、屋内固定観覧席３がある部分と広場８とを開放サッシュ１２で仕切る。
【００３２】
広場９は、もう一つの広場として約５００人程度の屋外席が確保できるもので、コンサートステージ４の背面に大型の引分け扉１３を設け、この引分け扉１３を開くことでコンサートステージ４の背面を開放できるようにした。
【００３３】
また、コンサートステージ４とプールサイドステージ３を分ける位置に大型の可動間仕切り１４を配置する。
【００３４】
図５に示すように、ショープール１の脇にプールサイド席１５とその上部階のバルコニー席１６を設け、全体を覆う屋根１７を架設した。
【００３５】
図２に１階平面を示すと、コンサートステージ４をプールサイドステージ２に併設することで、アシカ等のショーの最中でもイベントの準備が可能となるように、コンサートステージ４の前には大型車１８が横付けできる。コンサートステージ４の外側横に楽屋、倉庫、管理室、トイレ等の施設部屋を有する楽屋設備建物２０を付設する。この楽屋設備建物２０はコンサートステージ４とつながる。
【００３６】
ショープール１やプールサイドステージ２を中心としたアシカ等のショー施設の外側脇に事務室２１やアシカ等飼育エリア２２を付設する。
【００３７】
事務室２１は更衣室、シャワーやトイレを備え、アシカ等飼育エリア２２は飼育室、飼育水槽、調教スペース等を備え、プールサイドステージ２とこのアシカ等飼育エリア２２は連通させている。
【００３８】
図３に２階平面を示すと、図中２３はグッズ売場、トイレ等を設けたユーティリティエリアである。また、屋内固定観覧席３と芝生広場８境の地下には数多くのトイレ２４を設けた。
【００３９】
次に使い方について説明する。本発明はコンサートステージ４とアシカ等のショーを行うプールサイドステージ２という性格の異なる２つのステージを観覧できるようにしたものであり、そのための観覧席も屋内固定観覧席３の５００席と増席用の観覧席７は５００席の併せて１，０００席を確保できようにし、さらに、広場８と広場９との境に開口部を設け、広がりが得られるようにした。
【００４０】
下記のような使い方が可能である。
・アシカ等のショー
屋内固定観覧席３の５００席によるアシカ等のショーの専用ホールとして使用する。コンサートステージ４の背面の引分け扉１３は、アシカ等のショーを開催しながら同時にステージ設営を可能にする大型搬入口である。
・アシカ等のショー＋屋外ステージ
可動間仕切り１４を閉めることによりコンサートステージ４とプールサイドステージ２を分け、広場９を観客席とする屋外ステージとアシカ等のショーの同時開催が可能である。このコンサートステージ４とアシカ等のショーのステージを分ける位置に配置された可動間仕切り１４は、継ぎ目の目立たない白色ボードで、映写スクリーンとしても利用可能である。
・コンサート等
床５によりショープール１を蓋して、増席用の観覧席７は５００席を確保し、併せて１，０００席での鑑賞が可能である。コンサートの時は、可動間仕切り１４の分割された壁がハンガーレールに沿って両サイドに収納されて視界から消えてコンサートステージ４が現れ、アシカ等のショー（５００席）の空間を短時間で簡単にコンサートホール（１０００席）に転換することができる。
・屋外コンサート等
屋内固定観覧席３と広場８（例えば屋外芝生席）を一体化する開放サッシュ１２は、横連窓の掃出し窓で、閉鎖時も屋内外が連続し一体的に感じられる。操作しやすい大きさに分割された窓を、レールに沿ってスライドさせて収容できるようになっている。この開放サッシュ１２の解放時は連窓が消え、屋内と屋外の観客席が一体となり、３，０００人の観客席が確保できる。
・大イベント
開放サッシュ１２、引分け扉１３、可動間仕切り１４を全て開いて、屋内固定観覧席３の５００席、増席用の観覧席７の５００席、広場８の２，０００席、広場９の５００席の合わせて３，５００席を確保できる大イベント用施設としての利用が可能である。
【図面の簡単な説明】
【００４１】
【図１】本発明のアシカ等のショー施設とコンサートステージを兼ね備える多目的施設の１実施形態を示す縦断側面図である。
【図２】本発明のアシカ等のショー施設とコンサートステージを兼ね備える多目的施設の１実施形態を示す１階平面図である。
【図３】本発明のアシカ等のショー施設とコンサートステージを兼ね備える多目的施設の１実施形態を示すアシカ等のショー実施時の２階平面図である。
【図４】本発明のアシカ等のショー施設とコンサートステージを兼ね備える多目的施設の１実施形態を示すコンサート実施時の２階平面図である。
【図５】本発明のアシカ等のショー施設とコンサートステージを兼ね備える多目的施設の１実施形態を示す縦断正面図である。
【符号の説明】
【００４２】
１…ショープール                    ２…プールサイドステージ
３…屋内固定観覧席                  ４…コンサートステージ
５…床                              ６…柱
７…増席用の観覧席                  ８，９…広場
１０…壁                            １１…建物の壁
１２…開放サッシュ                  １３…引分け扉
１４…可動間仕切り                  １５…プールサイド席
１６…バルコニー席                  １７…屋根
１８…大型車                        １９…大型車搬入口
２０…楽屋設備建物                  ２１…事務室
２２…アシカ等飼育エリア            ２３…ユーティリティエリア
２４…トイレ
【図１】
2014114584.tif 000003
【図２】
2014114584.tif 000004
【図３】
2014114584.tif 000005
【図４】
2014114584.tif 000006
【図５】
2014114584.tif 000007